(57)【要約】【課題】雨水、および水滴で濡れた平らで透明な板の全面の視界確保を可能にする。【解決手段】一定の長さにカットした光を通す透過性に優れた円柱状の物１を、透明で平らな板の面４に狭い隙間３を設けながら垂直に積み、透明で平らな板の全面に敷き詰める。細いガラス管を水につけた時に発生する毛細管現象の水がガラスの壁に引き寄せられて上昇する現象を利用し、隣り合った円柱状の物同士間にできる空間２をガラス管に見立てて円柱状の物の切断面にある雨水及び水滴を空間２に吸い込ませることにより水による光の屈折を最小限に抑えて視界の確保を可能とする。【選択図】        図１
2004255884.tif 000002
【特許請求の範囲】
【請求項１】
光を通す透過性に優れた円柱状の物を一定の短い長さにカット、狭い隙間を空けながら縦に並べこれをスダレ状とし、このスダレ状の光を通す透過性に優れた円柱状の物を狭い隙間が重ならないように積み重ねて板状にし、透明で平らな板の面に対し円柱状の物が垂直になるように貼り付けることで、円柱状の切断面に雨水等を残すことなく常に空間に吸い込ませることを特徴とする透水透明板。
【請求項２】
請求項１記載の光を通す透過性に優れた円柱状の物とは、光の直進性に優れているものであり円柱状をしていることで隣接したときにできる空間を利用し、雨水等を空間に吸い込ませることを特徴とする透水透明板。
【請求項３】
請求項１記載の狭い隙間とは、円柱状の物を単にスダレ状に並べるのではなく、隙間を設けることで請求項２の隣接したときにできる空間の雨水等を残すことなく排出し、切断面の雨水等を常に空間に吸い込ませることを特徴とする透水透明板。
【請求項４】
請求項１記載の透水透明板作成方法は、光を通す透過性に優れた円柱状の物を一定の長さにカットしスダレ状に横に並べ接点で接着、一定の短い長さにカット後狭い隙間を作りながら縦に並べスダレ状に戻すことで、狭い隙間を設けることができる雨水等を常に空間に吸い込ませることを特徴とする透水透明板の作成方法。
【請求項５】
請求項４記載で作成したスダレ状の物を数多く作成し、狭い隙間が重ならないようにスダレ状の光を通す透過性に優れた円柱状の物を積み重ね接点を接着することにより隣接する円柱状の空間と狭い隙間を結ぶことができる、雨水等を常に空間に吸い込ませることを特徴とする透水透明板の作成方法。
【請求項６】
請求項４記載の狭い隙間の作成方法は、スダレ状の光を通す透過性に優れた円柱状の物を短くカット後、狭い隙間に水に溶けるフィルムを挿入しながら元のスダレ状に戻すことで、狭い隙間を設けることができる雨水等を空間に吸い込ませることを特徴とする透水透明板の作成方法。
【請求項７】
請求項５記載のスダレ状の光を通す透過性に優れた円柱状の物を積み重ねて接点で接着するには、スダレ状になった光を通す透過性に優れた円柱状の物に水に溶けるフィルム等を塗り、スダレ状の物の凹み部分を埋め円柱状側面の接着面のフィルムだけを除去し、接着剤を塗りスダレ状の光を通す透過性に優れた円柱状の物を積み重ねることで接着することができる雨水等を常に空間に吸い込ませることを特徴とする透水透明板の作成方法。
【請求項８】
請求項４記載の光を通す透過性に優れた円柱状の物を一定の長さにカットし、スダレ状に横に並べ接点で接着する方法は、光を通す透過性に優れた円柱状の物を一定の長さにカット後スダレ状の光を通す透過性に優れた円柱状の物を垂直にし、水状の接着剤を密閉できる容器の底に入れ容器を密閉し容器内を真空状態にすることで毛細管現象により接着剤は円柱状の間を上昇、毛細管現象を利用した透水透明板を作成するための接着方法。
【発明の詳細な説明】
【技術分野】
【０００１】
本発明は、車のフロントガラスおよび窓ガラスなど雨水または水滴が付きやすい場所で視界を確保するための透明板に関するものである。
【背景技術】
【０００２】
現在のガラスは窓ガラスに使用されている１枚の板ガラスまたは、車のフロントガラスに使用されている複数の板ガラスを重ね合わせた合せガラスで構成されている。ガラスが雨水および水滴で濡れると、視界を確保するため雨水および水滴を排除する必要がある。一般に視界を確保するために、車のフロントガラスの場合ワイパーのゴム部分を使用し雨水を排除している。窓ガラスにおいてはゴムまたは布などを使用し排除している。しかし、雨水または水滴で連続的にガラスが濡れると、その都度水滴等を排除する動作が必要となり、車ではワイパーの往復動作が必要不可欠となるが、この往復動作の間も雨水で濡れるため視界の確保が低下する。また、往復動作の範囲が限られるため雨水を排除できない部分が発生する欠点があった。
【特許文献１】特開２００３−６３３５９号公報
【０００３】
ウインドシールドガラスは、強化ガラスや合わせガラス等と透明により透視性を有する多孔質構造体または繊維塊状体を備え室外に露出している多孔質構造体の連通する多くの孔により透水性を有するものである。
【０００４】
しかし、本発明は、透明な多孔質構造体及び繊維塊状体を使用せず光を通す透過性に優れた円柱状の物を使用することで小さな空間を設けることができる。例えば光ファイバーのように円柱状の物を使用することで多孔質構造体や繊維塊状体を使用せずして光の直進性と透過性に優れた透水透明板を作成することができる。
【０００５】
また、視界を重視する車のフロントガラスには光ファイバーのように屈折率の異なるガラスまたはプラスチック等で構成されている材質を使用することで光の直進性を得ることができる。また、窓ガラスや鏡のように視界を重視しない景色や姿を見るためだけであれば屈折率の異なる材質で構成されている物を使用する必要はない。
【発明の開示】
【発明が解決しようとする課題】
【０００６】
解決しようとする問題点は、雨水および水滴を排除するために往復動作時に発生する視界の低下と、往復動作では排除できない部分の視界の低下を解消することである。
【課題を解決するための手段】
【０００７】
本発明の請求項１記載の透水透明板は、光を通す透過性に優れた円柱状の物を使用することにより光の直進性と、円柱と円柱が積み重なったときにできる空間を利用し円柱の切断面に雨水等を残さないことを特徴とする。
【０００８】
また、請求項２記載の透水透明板は光を通す透過性に優れた円柱状の物を積み重ねたときにできる空間を利用し雨水等をこの空間に吸い込ませることを特徴とする。
【０００９】
請求項３記載の透水透明板は光を通す透過性に優れた円柱状の物に狭い隙間を設け雨水等を縦方向に流すことを特徴とする。
【００１０】
請求項４記載の透水透明板の作成方法は、光を通す透過性に優れた円柱状の物をスダレ状にし、その接点を接着した後に一定の短い長さにカットし狭い隙間を設けながら元のスダレ状に戻すことで狭い隙間を持つことを特徴とする。
【００１１】
請求項５記載の透水透明板の作成方法は、狭い隙間が重ならないように光を通す透過性に優れた円柱状の物を積み重ね接点で接着ことによりスダレ状の光を通す透過性に優れた円柱状の物が隣接したときにできる空間に吸い込ませた雨水等を排出することを特徴とする。
【００１２】
請求項６記載の透水透明板の作成方法は、狭い隙間を一定の間隔で保つためと接着剤が入り込まないように水に溶けるフィルムを隙間に挿入することを特徴とする。
【００１３】
請求項７記載の透水透明板の作成方法は、スダレ状の光を通す透過性に優れた円柱状の物を積み重ねたときにできた空間に接着剤が入り込まないように水に溶けるフィルムを詰めることを特徴とする。
【００１４】
請求項８記載の透水透明板を作成するための接着方法は、光を通す透過性に優れた円柱状の物をスダレ状に接着するために毛細管現象を利用することを特徴とする。
【発明の効果】
【００１５】
請求項１によれば、光を通す透過性に優れた円柱状の物を利用することで光の直進性により視界の確保が容易となり、雨水等を円柱状の切断面に残さないことから水による光の屈折を最小限に抑えることができる。
【００１６】
また請求項２によれば、毛細管現象により光を通す透過性に優れた円柱状の物の隣接する空間に雨水等を吸い込ませることにより、円柱状の切断面に雨水等を残さないことで水による光の屈折を最小限に抑えることができる。
【００１７】
請求項３によれば、光を通す透過性に優れた円柱状の物の隣接する空間に吸い込ませた雨水等を縦方向に排出させることにより、常に空間に雨水等が吸い込ませることができる。
【００１８】
請求項４によれば、光を通す透過性に優れた円柱状の物の隣接する空間に吸い込ませた雨水等を排出するための狭い隙間を設けることができる。
【００１９】
請求項５によれば、狭い隙間が重ならないように光を通す透過性に優れた円柱状の物を積み重ね接点で接着ことにより、円柱状の物の隣接する空間と狭い隙間を結ぶことができ雨水等を排出することができる。
【００２０】
請求項６によれば、スダレ状の光を通す透過性に優れた円柱状の物を短くカット後、狭い隙間に水に溶けるフィルムを挿入することで接着剤が狭い隙間に入り込まないようにすることができる。
【００２１】
請求項７によれば、スダレ状の光を通す透過性に優れた円柱状の物の凹み部分に水に溶けるフィルムを塗ることで空間に接着剤が入り込まないようにすることができる。
【００２２】
請求項８によれば、密閉した容器内を真空状態にすることで毛細管現象を短時間で誘発することができる。
【００２３】
本発明の透水透明板は、従来のガラスでは実現しなかった雨水および水滴による光の屈折を最小限に抑えことにより、視界の確保が容易になる。
【発明を実施するための最良の形態】
【００２４】
本発明は上記のように光を通す透過性に優れた円柱状の物を使用することで、円柱状の物を積み重ねてできた空間を利用し、雨水等を毛細管現象により空間に吸い込ませ円柱状の切断面に雨水等を残さないことで光の屈折を最小限に抑えることを実現した。
【実施例】
【００２５】
光を通す透過性に優れた円柱状の物を一定の長さにカットし、スダレ状に横に並べ接点で接着する。これを０．３ｍｍの長さにカット後、間に０．１２５ｍｍの隙間を作りながら縦に並べスダレ状に戻す。このスダレ状に戻した光を通す透過性に優れた円柱状の物を数多く作成し、０．１２５ｍｍの隙間が重ならないようにスダレ状に戻した光を通す透過性に優れた円柱状の物を積み上げ接点を再び接着する。積み上げた光を通す透過性に優れた円柱状の物を１．０ｍｍ〜１．５ｍｍの長さにカットする。
【００２６】
スダレ状にした光を通す透過性に優れた円柱状の物の間に０．１２５ｍｍの隙間を作成するには、０．１２５ｍｍの水に溶けるフィルムを０．３ｍｍの長さにカットした光を通す透過性に優れた円柱状の物の間に挿入し縦に並べながら元のスダレ状に戻す。また、光を通す透過性に優れた円柱状の物の隣接するときにできる空間の作成方法は、スダレ状になった光を通す透過性に優れた円柱状の物の上に水に溶けるフィルムを塗り、光を通す透過性に優れた円柱状の物同士の凹み部分を埋め、円柱状の接着面のフィルムを除去し接着剤を塗りスダレ状の光を通す透過性に優れた円柱状の物を積み重ねる。積み重ねてできた光を通す透過性に優れた円柱状の物に対して垂直に１．０ｍｍ〜１．５ｍｍの幅にカット後、水に浸け円柱状の物の間にあるフィルムを溶かす。
【００２７】
光を通す透過性に優れた円柱状の物同士を接着するには、スダレ状にした光を通す透過性に優れた円柱状の物を立て水状の接着剤を密閉できる容器の底に入れた後、容器を密閉し容器内を真空状態にすることで毛細管現象により接着剤は円柱状の物同士の間を上昇していく。
【００２８】
光を通す透過性に優れた円柱状の物、例えば光ファイバーは外径０．１２５ｍｍが一般的であるが細すぎると加工がしにくいのと、空間が狭すぎることから１〜３ｍｍを使用し、加工を容易とした。なお、光を通す透過性に優れた円柱状の物間の空間はＲ・Ｒ√３−Ｒ・ＲΠ／２で求められる。例えば外径１ｍｍの円柱状の物を重ねたときにできる空間は約０．０４ｍｍ２となる。
【００２９】
光を通す透過性に優れた円柱状の物の隙間を０．１２５ｍｍに設定したのは、一般的な光ファイバーの外径が０．１２５ｍｍであることから隙間を作成するのに容易である。また、光を通す透過性に優れた円柱状の物を０．３ｍｍの一定長さに設定したのはフロントガラスの厚みが４〜５ｍｍであり透水透明板を接着したときに厚みを最小限に抑えるため透水透明板の厚みを１〜１．５ｍｍに設定したためである。
【００３０】
従来の光ファイバーは、細すぎるため接着・加工が難しく空間が微細すぎると雨水等の排出率が悪くなることから外径１〜３ｍｍの光を通す透過性に優れた円柱状の物を使用した。なお、縦の隙間については隙間の間隔が広すぎると光の直進性に影響するため０．１２５ｍｍもしくはそれ以下が望ましい。
【産業上の利用可能性】
【００３１】
車のフロントガラスおよび窓ガラスまたは風呂場の鏡、車のサイドミラー等雨水や水滴で濡れやすい場所のガラスまたは鏡等に利用が可能である。
【図面の簡単な説明】
【００３２】
【図１】フロントガラスに使用したときの全体図である。
【図２】透明で平らな板に透水透明板を接着したときの拡大図である。
【図３】光を通す透過性に優れた円柱状の物をスダレ状に並べた拡大図である。
【図４】光を通す透過性に優れた円柱状の物に縦の隙間を設けたときの断面図である。
【符号の説明】
【００３３】
１  光を通す透過性に優れた円柱状の物
２  光を通す透過性に優れた円柱状の物が隣接したときにできる空間
３  光を通す透過性に優れた円柱状の物に設けた縦の隙間
４  従来のガラス
【図１】
2004255884.tif 000003
【図２】
2004255884.tif 000004
【図３】
2004255884.tif 000005
【図４】
2004255884.tif 000006